(57)【要約】【課題】  柔道の対戦者の色分表示が簡便であり、試合の技評価を表示しその得点が表示できる柔道用スコアボードを提供することを目的とするものである。【解決手段】  両対戦者の技の評価等を表示する柔道用スコアボード５において、柔道用スコアボード５が、スコアボード本体６に両対戦者を赤及び白の色彩で分ける対戦者色分表示部７が備えられ、対戦者色分表示部７による色分けに対応して両対戦者別に柔道の「技あり」「有効」「効果」等の技評価を表示する技評価表示欄１０ａ，１０ｂが、スコアボード本体６の両面にそれぞれ設けられ、スコアボード本体６の技評価表示欄１０ａ，１０ｂに沿ってスリット１３ａ，１３ｂが形成され、技評価表示欄１０ａ，１０ｂの技評価をスリットに沿ってスライドさせて指し示す黄色表示具１４ａ，１４ｂが設けられ、対戦者色区分表示部７をその長手方向軸を回転させることにより、スコアボード本体６の両面側で両対戦者の色分表示を同時に切り替えることができる。【選択図】    図１
0003103816.tif 000002
【実用新案登録請求の範囲】
【請求項１】
両対戦者の技の評価等を表示する柔道用スコアボードにおいて、
該柔道用スコアボードが、スコアボード本体に両対戦者を赤及び白の色彩で分ける対戦者色分表示部が備えられ、該対戦者色分表示部による色分けに対応して両対戦者別に柔道の「技あり」「有効」「効果」等の技評価を表示する技評価表示欄が、前記スコアボード本体の両面にそれぞれ設けられ、該スコアボード本体の該技評価表示欄に沿ってスリットが形成され、該スリットに沿ってスライドさせて該技評価表示欄の技評価項目を指し示す黄色表示具が設けられ、前記対戦者色区分表示部をその長手方向を軸として回転させることにより、前記スコアボード本体の両面側で両対戦者の色分表示を同時に切り替えることができることを特徴とする柔道用スコアボード。
【請求項２】
前記対戦者色分表示部は、垂直方向断面が略正四角形の直方体であり、前記赤及び白の色彩が、該直方体の長手方向の面に二分割されて色分表示されており、該直方体の色分表示されたそれぞれの対向面の色彩を等しくして、前記スコアボード本体の両面の色分表示を同一にしたことを特徴とする請求項１に記載の柔道用スコアボード。
【請求項３】
前記スリットには、前記技評価表示欄の技評価項目に対応して、前記黄色表示具の位置決め用切欠部を設けたことを特徴とする請求項１又は２に記載の柔道用スコアボード。
【請求項４】
前記対戦者色分表示部の回転部に滑り摩擦を与えて設定位置で該対戦者色分表示部が安定するようにしたことを特徴とする請求項１，２又は３に記載の柔道用スコアボード。
【請求項５】
前記対戦者色分表示部の回転部にラッチ機構を設け、該対戦者色分表示部が所定位置で安定するようにしたことを特徴とする請求項１，２又は３に記載の柔道用スコアボード。    
【請求項６】
前記対戦者色分表示部の上部を覆う庇部を設けたことを特徴とする請求項１，２，３又は４に記載の柔道用スコアボード。
【考案の詳細な説明】
【技術分野】
【０００１】
本考案は、柔道の試合場での対戦者の技の評価等を観衆に表示する柔道用スコアボードに関するものである。
【背景技術】
【０００２】
従来、柔道の対戦者の技評価を表示する装置としては電光スコアボードがある。電光スコアボードは、スコア表示パネルをコントロールボックスで操作して、観客に試合の評価得点を電光表示するものである。電光スコアボードより簡便なものとしては、点数表示板を捲って表示する柔道用スコアボードがある。
【０００３】
図４は、従来の柔道用スコアボードを示しており、対戦者別に、「ＷＡＺＡ．ＡＲＩ：技あり」「ＹＵＯ：有効」「ＫＯＫＡ：効果」の評価表示部１があり、評価表示部１の直上には評価の得点を示す得点表示板２が設けられ、対戦者の区分（白対赤）は、この表示板２の色彩を白と赤に区別して表示している。また、柔道用スコアボードには、選手の負傷を示す十字マーク板３や反則を表示する反則表示板４等が設けられている。
【考案の開示】
【考案が解決しようとする課題】
【０００４】
従来の電光スコアーボードは、国体や国際試合などで使用されているが、柔道愛好者等が広く利用できる装置としては高価であり、より安価で強固なものが望まれていた。一方、図４の柔道用スコアボードは安価であるが、対戦者別の白又は赤色に区分した表示板を作成しなければならないし、対戦者別の色分を変更した場合には卓上などの比較的小型のものであれば、左右を反転させて使用することができるが、比較的大型のものであると反転作業を行わねばならないし、取り扱いが簡便であり、構造が強固であることが望まれていた。また、従来の柔道用スコアボードは、審判の判定が何れの評価であったかを電光スコアボードのように黄色ランプの点灯で即時に表示できるものではなく、点数を表示した表示板が捲られて得点が表示されて、技が「有効」又は「効果」であるかが表示されるのみであった。
【０００５】
本考案は、上述のような課題に鑑みなされたものであって、柔道の対戦者の色分表示が簡便であり、試合の技評価を表示しその得点が表示できる柔道用スコアボードを提供することを目的とするものである。
【課題を解決するための手段】
【０００６】
本考案は、上記課題を達成したものであって、請求項１の考案は、両対戦者の技の評価等を表示する柔道用スコアボードにおいて、
該柔道用スコアボードが、スコアボード本体に両対戦者を赤及び白の色彩で分ける対戦者色分表示部が備えられ、該対戦者色分表示部による色分けに対応して両対戦者別に柔道の「技あり」「有効」「効果」等の技評価を表示する技評価表示欄が、前記スコアボード本体の両面にそれぞれ設けられ、該スコアボード本体の該技評価表示欄に沿ってスリットが形成され、該スリットに沿ってスライドさせて該技評価表示欄の技評価項目を指し示す黄色表示具が設けられ、前記対戦者色区分表示部をその長手方向を軸として回転させることにより、前記スコアボード本体の両面側で両対戦者の色分表示を同時に切り替えることができることを特徴とする柔道用スコアボードである。
【０００７】
また、請求項２の考案は、前記対戦者色分表示部は、垂直方向断面が略正四角形の直方体であり、前記赤及び白の色彩が、該直方体の長手方向の面に二分割されて色分表示されており、該直方体の色分表示されたそれぞれの対向面の色彩を等しくして、前記スコアボード本体の両面の色分表示を同一にしたことを特徴とする請求項１に記載の柔道用スコアボードある。
【０００８】
また、請求項３の考案は、前記スリットには、前記技評価表示欄の技評価項目に対応して、前記黄色表示具の位置決め用切欠部を設けたことを特徴とする請求項１又は２に記載の柔道用スコアボードである。
【０００９】
また、請求項４の考案は、前記対戦者色分表示部の回転部に滑り摩擦を与えて設定位置で該対戦者色分表示部が安定するようにしたことを特徴とする請求項１，２又は３に記載の柔道用スコアボードである。
【００１０】
また、請求項５の考案は、前記対戦者色分表示部の回転部にラッチ機構を設け、該対戦者色分表示部が所定位置で安定するようにしたことを特徴とする請求項１，２又は３に記載の柔道用スコアボードである。  
【００１１】
また、請求項６の考案は、前記対戦者色分表示部の上部を覆う庇部を設けたことを特徴とする請求項１，２，３又は４に記載の柔道用スコアボードである。
【考案の効果】
【００１２】
請求項１の考案によれば、対戦者の試合の評価を得点で表示する柔道用スコアボードにおいて、該柔道用スコアボードは、スコアボード本体に両対戦者を赤及び白の色彩で分ける対戦者色分表示部が備えられ、該対戦者色分表示部による色分けに対応して対戦者別に柔道の「技あり」「有効」「効果」等の技評価を表示する技評価表示欄が、該スコアボード本体の両面に設けられ、該スコアボード本体の該技評価表示欄に沿ってスリットが形成され、該スリットに沿ってスライドさせて該技評価表示欄の技評価項目を指し示す黄色表示具が設けられており、前記対戦者色分表示部を回転させることにより、前記スコアボード本体の両面側で、両対戦者の色分表示を同時に切り替えることができる柔道用スコアボードであるので、柔道用スコアボードに設けた対戦者色分表示部を回転させるのみで、対戦者の色分表示を変更することができるし、対戦者の技評価表示欄の白地に得点を記した表示板を一種類用意すればよいし、評価表示欄の直下にはスリットが設けられ、黄色表示具をこのスリットに沿ってスライドさせて、技評価表示欄の技表示項目を指し示すことができ、観客は直ちに「技あり」「有効」「効果」等の技評価を柔道用スコアボード上で確認することができるし、黄色表示具を片面側から操作したとしても柔道用スコアボードの両面で同一の技評価項目を指し示すことができ、極めて簡便で有効なものである。
【００１３】
また、請求項２の考案によれば、前記対戦者色分表示部は、垂直方向断面が略正四角形の直方体であり、前記赤及び白の色彩が、該直方体の長手方向に二分割されて色分表示されており、該直方体の色分表示された夫々の対向面の色彩を等しくして、前記スコアボード本体の両面の対戦者の色分表示を同一にした柔道用スコアボードであるので、柔道用スコアボードの対戦者色分表示部を片面で操作したとしても柔道用スコアボードの両面で対戦者別の色分表示を切り替えることが可能であり、極めて簡便で効果的なものである。
【００１４】
また、請求項３の考案によれば、前記スリットには、前記技評価表示欄の技評価項目に対応して、前記黄色表示具の位置決め用切欠部を設けたことを特徴とする請求項１又は２に記載の柔道用スコアボードであるので、技評価表示欄の各技評価項目の位置に、黄色表示部を正確に合わせることができるし、多少の振動や衝撃でずれたりするおそれがない利点がある。
【００１５】
また、請求項４の考案によれば、前記対戦者色分表示部の回転部に滑り摩擦を与えて設定位置で該対戦者色分表示部が安定するようにしたことを特徴とする請求項１，２又は３に記載の柔道用スコアボードであるので、対戦者色分表示部が振動や衝撃等により、対戦者別の色分表示がずれて対戦者の識別が曖昧になることがない利点がある。
【００１６】
また、請求項５の考案によれば、前記対戦者色分表示部の回転部にラッチ機構を設け、該対戦者色分表示部が所定位置で安定するようにしたことを特徴とする請求項１，２又は３に記載の柔道用スコアボードので、対戦者色分表示部が振動等によって、より一層対戦者別の色分表示が確実に固定されてずれて対戦者の識別が困難になることがない利点がある。
【００１７】
また、請求項６のの考案によれば、前記対戦者色分表示部の上部を覆う庇部を設けたことによって、対戦者色分表示部の上部色分部を庇部で覆って、観客席の上方の位置から見えないようにし、柔道用スコアボードの対戦者の色分け表示を誤認するおそれを解消することができる利点がある。
【考案を実施するための最良の形態】
【００１８】
以下、本考案の柔道用スコアボードの実施形態について図面を参照して説明する。
図１において、本実施形態の柔道用スコアボード５は、スコアボード本体６と、対戦者色分表示部７と、支持板８とが支持枠９ａ，９ｂに支持固定されている。スコアボード本体６には、柔道の技評価である「Ｉ：一本」「Ｗ：技あり」「Ｙ：有効」「Ｋ：効果」の技評価項目を対戦者別に表示する技評価表示欄１０ａ，１０ｂが、スコアボード本体６の両面に設けられている。技評価表示欄１０ａ，１０ｂの各技評価項目の直上には、白地に得点を記した得点表示板１１が設けられている。技評価表示欄１０ａ，１０ｂの隣接部は、種々評価を表示する表示領域１２が設けられている。表示領域１２は例えばＧＳ等を記したマグネットラバーを貼付する部分として利用できる。なお、図１において、技評価項目１０ａの「Ｗ」「Ｙ」「Ｋ」及び技評価項目１０ｂの「Ｉ」「Ｗ」の表示直上には、得点表示板１１の図示を省略した。
【００１９】
技評価表示欄１０ａ，１０ｂの直下には対戦者別にスリット１３ａ，１３ｂがそれぞれスコアボード本体６の下端部に左右水平方向に設けられ、各スリット１３ａ，１３ｂに黄色表示具１４ａ，１４ｂが装着されてスライドできるようにしている。各スリット１３ａ，１３ｂには、図２（ａ）に拡大図で示したように、黄色表示具１４ａ，１４ｂが所定の技評価項目（「Ｉ」「Ｗ」「Ｙ」「Ｋ」）の直下で安定するように位置決め用切欠部１５ａ，１５ｂが設けられている。スリット１３ａ，１３ｂ同士の隣接する部分には、カバー１６が設けられ、黄色表示具１４ａ，１４ｂの未使用時は、カバー１６内に黄色表示具１４ａ，１４ｂが収納され、概ね柔道用スコアボードの正面或いは裏面側から確認できないようにしている。
【００２０】
黄色表示具１４ａ，１４ｂは、図２（ｂ），（ｃ）に示したように、二つの黄色表示部材１４１と円柱軸１４２からなり、円柱軸１４２がスリット１３ａ及びスリット１３ｂにそれぞれ挿通され、円柱軸１４２が黄色表示部材１４１の丸穴状溝１４３に嵌合させて接着され、黄色表示部材１４１をスライドさせることによって、黄色表示具１４ａ又は１４ｂはスリット１３ａ又は１３ｂを左右にスライドさせることができる。スリット１３ａ又は１３ｂには、位置決め用切欠部１５ａ又は１５ｂが設けられ、円柱軸１４２が位置決め用切欠部１５ａ又は１５ｂに僅かに嵌合して安定し、技評価項目の直下に黄色表示具１４ａ又は１４ｂを移動して確実に指し示すことができる。
【００２１】
対戦者色分表示部７は、対戦者を赤と白に色分表示するものであり、スコアボード本体６の直下に設けられた庇部１７（図１（ａ），（ｂ）参照）の下に設けられている。対戦者色分表示部７は、その垂直方向断面が略正四角形の直方体であり、直方体の長手方向に赤７ａと白７ｂの色彩で二分割されて色分表示されている。直方体の色分表示されたそれぞれの対向面の色彩は同一の色彩となっており、例えば、図３の赤７ａの対向面の色彩は赤であり、白７ｂの対向面の色彩は白であり、柔道用スコアボード５の両面で同一の色分け表示ができる。また、庇部１７は、上方の観客席から対戦者色分表示部７の上面側の色分けを視認できないようにしている。因みに、対戦者色分表示部７の上面側の色分けは、正面から見たときの色分けとは逆となっている。
【００２２】
一方、対戦者色分表示部７の回転部１８は、対戦者色分表示部７を任意の位置で固定し得るように構成されており、図３に示したように、回転部１８は、回転部材１８ａと受け部１８ｂとスリーブ管１８ｃとスプリング１８ｄとからなり、回転部材１８ａは対戦者色分表示部７の左右側部に固定され、その突軸１８ｅがスプリング１８ｄに挿通され、受け部１８ｂの軸受け部１８ｆに嵌合し、受け部１８ｂが支持枠９ａ或いは支持枠９ｂにネジで固定されている。スプリング１８ｄは回転部材１８ａと受け部１８ｂとで圧縮され、その反発力により回転部材１８ａと受け部１８ｂとに摩擦力が与えられ、対戦者色分表示部７の回転を任意の位置で拘束できるようにして、対戦者色分表示部７を所定位置に設定できるようにしている。
【００２３】
また、図４は、対戦者色分表示部７の回転部の他の形態を示しており、回転部にラッチ機構１９が設けられている。対戦者色分表示部７は、貫通軸２０で自由に回転するように構成され、ラッチ機構１９は、フランジ１９ｂを有する可動ピン１９ａの軸部１９ｃがスピリング１９ｄに挿通されてフランジ１９ｂに当接し、枠体１９ｅに収納され、支持枠９ｂ内に設けられている。一方、対戦者色分表示部７の側壁部には、図４（ｂ）に示したように、軸貫通穴７５を中心に９０°の角度で可動ピン１９ａの先端が嵌入する受け穴７１〜７４が設けられている。対戦者色分表示部７の長手方向軸（貫通軸２０）を中心に回転させることにより、可動ピン１９ａの先端が受け穴７１に嵌入し、対戦者色分表示部７の回転を拘束する。さらに、対戦者色分表示部７を回転させると、受け穴７１に嵌入していた可動ピン１９ａの先端が、側壁部で押圧されて引っ込み、受け穴７２に嵌入する。このようにして対戦者色分表示部７を回転させることによって、対戦者色分表示部７の左右の色分表示部を切り替わることができる。このように可動ピン１９ａの先端が対戦者色分表示部７の側壁部の受け穴７１〜７４に嵌入することによって、対戦者色分表示部７の回転が拘束されるので、振動や接触などにより簡単に色分表示が切り替わることがなく、対戦者の色分表示を確実にできる。
【００２４】
なお、支持板８は、柔道用スコアボードとしての強度を保つために設けられているが、この支持板８は、判定表示用のラバーシートを貼付するスペースとして利用することができるとともに、スポンサーの宣伝用等のスペースとしても利用することができる。
【００２５】
本実施形態の柔道用スコアボードは、赤白に分かれた対戦者に合わせて対戦者色分表示部７の赤白の色分表示を設定して試合を開始し、審判により赤方が「効果」の判定を受けたとすると、赤方の黄色表示具１４ａを「Ｋ」の表示直下に移動して、観客に「効果」の判定であったことを、柔道用スコアボード５の両面で指し示す。「Ｋ」の直上の得点表示板１１の得点を「１」とする。得点表示板１１は最初白板であるが、得点表示板１１を捲って裏面側に送り、その白板の裏面側には「１」が表示され、柔道用スコアボード５の表側の二枚目の得点表示板に「１」が現れる。また、白方が審判により「有効」の判定を受ければ、黄色表示具１４ｂを「Ｙ」の直下に移動させてその直上の得点表示板１１を「１」とし、表側の白板は裏面側に送られて「１」が表示される。そして、赤方が審判により「一本」の判定を受ければ、黄色表示具１４ａを「Ｉ」の直下に移動して試合の勝敗が決定されたことを柔道用スコアボード５上で表示することができる。
【００２６】
このように、本考案の柔道用スコアボードは、観客に直ちに「技あり」「有効」「効果」等の評価を指し示すことができるし、黄色表示具を片面側から操作したとしても柔道用スコアボードの両面で同一の技評価を指し示すことが可能であり、極めて簡便で有効なものであり、その構造は強固なものである。
【産業上の利用可能性】
【００２７】
本考案は、柔道専用のスコアボードであり、他への競技への転用することはできないが、安価であり、広く柔道の試合に利用することが可能である。
【図面の簡単な説明】
【００２８】
【図１】（ａ）は本考案の一実施形態の正面図であり、（ｂ）は側面図である。
【図２】（ａ）は黄色表示具を柔道用スコアボードに装着した状態を説明するための拡大斜視図、（ｂ）は黄色表示具の拡大斜視図。（ｃ）は装着した状態の拡大断面図である。
【図３】対戦者色分表示部の斜視図であり、回転部の分解斜視図である。
【図４】（ａ）は対戦者色分表示部の他の形態を示す要部正面図、（ｂ）は対戦者色分表示部の回転部の分解斜視図、（ｃ）は対戦者色分表示部のラッチ機構の断面図とその要部拡大図である。
【図５】従来の柔道用スコアボードの斜視図である。
【符号の説明】
【００２９】
５  柔道用スコアボード
６  スコアボード本体
７  対戦者色分表示部
８  支持板
９ａ，９ｂ  支持枠
１０ａ，１０ｂ  技評価項目
１１  得点表示板
１２  表示領域
１３ａ，１３ｂ  スリット
１４ａ，１４ｂ  黄色表示具
１５ａ，１５ｂ  切欠部
１６  カバー
１７  庇部
１８  回転部
１９  ラッチ機構
１９ａ  可動ピン
１９ｂ  フランジ
１９ｃ  軸部
１９ｄ  スプリング
１９ｅ  枠体  
【図１】
0003103816.tif 000003
【図２】
0003103816.tif 000004
【図３】
0003103816.tif 000005
【図４】
0003103816.tif 000006
【図５】
0003103816.tif 000007